(57)【要約】      （修正有）【課題】本体ケースに対して一次止水機構を簡単に組み付けることができるシャワーヘッド装置を提供する。【解決手段】ヘッド本体部４１、及びヘッド本体部４１に接続された持手部４２を有する本体ケース４と、流路を開閉する弁体５２を一体的に設け、流路を流通する流体を一次停止可能とした一次止水機構ユニット５と、一次止水機構ユニット５に対して装着可能に設けられ、弁体５２を開閉移動させるための押しボタン５３と、を備え、本体ケース４の持手部４２は、一次止水機構ユニット５が収容可能な収容部を有し、ヘッド本体部４１とは反対側の端部に、一次止水機構ユニット５が挿入可能な持手開口部４ａが形成された構成とする。【選択図】図４
2020025707.tif 000002
【特許請求の範囲】
【請求項１】
散水部、及び前記散水部に接続された持手部を有する本体ケースと、
流路を開閉する弁体を一体的に設け、前記流路を流通する流体を一次停止可能とした一次止水機構ユニットと、
を備え、
前記本体ケースの前記持手部は、前記一次止水機構ユニットが収容可能な収容部を有し、前記散水部とは反対側の端部に、前記一次止水機構ユニットが挿入可能な持手開口部が形成されていることを特徴とするシャワーヘッド装置。
【請求項２】
前記一次止水機構ユニットには、前記散水部に収容される散水板を有する散水板ユニットに係止可能なスナップフィット機構が設けられている請求項１に記載のシャワーヘッド装置。
【請求項３】
前記一次止水機構ユニットには、前記弁体を開閉移動させるための押しボタンが装着可能に設けられ、
前記押しボタンは、前記持手部に形成されたボタン開口部の外側から装着可能に設けられている請求項１又は２に記載のシャワーヘッド装置。
【発明の詳細な説明】
【技術分野】
【０００１】
本発明は、シャワーヘッド装置に関する。
【背景技術】
【０００２】
従来、給水源から延ばされた給水ホースに接続されて、湯水などの流体を表面側から散水するシャワーヘッド装置では、表面に散水孔を有する散水板と、散水板を保持し、内部に散水孔と連通した通水路を収容する本体ケースと、を備えたものが一般的となっている。
このようなシャワーヘッド装置では、例えば特許文献１に示すように、散水部、及び散水部に接続された持手部を有する本体ケースと、流路を開閉する弁体を一体的に設け、流路を流通する流体を一次停止可能とした一次止水機構ユニットと、一次止水機構ユニットに対して装着可能に設けられ、弁体を開閉移動させるための押しボタンと、を備え、本体ケース内に設けられた弁体を押しボタンによって開閉操作して流路を開閉するものが知られている。
【先行技術文献】
【特許文献】
【０００３】
【特許文献１】特開２０１５−２７３３１号公報
【発明の概要】
【発明が解決しようとする課題】
【０００４】
しかしながら、特許文献１に示すような従来のシャワーヘッド装置に設けられる押しボタンは、ボタンカバー内にばね等の付勢部材が内蔵されていて、その付勢力を利用して押し込んだボタンを元の位置に復帰するように構成されている。このようなシャワーヘッド装置を組み立てる際には、先ず、弁体を備えた一次止水機構ユニットと押しボタンを一体的に組み立てておき、押しボタンの周囲で分割されている本体ケース同士を組み合わせるといった手間のかかる複雑な製造方法となっている。そのため、従来のシャワーヘッド装置において、本体ケースに一次止水機構を簡単に組み付けることが可能な構造が望まれており、その点で改善の余地があった。
【０００５】
本発明は、上述する問題点に鑑みてなされたもので、本体ケースに対して一次止水機構を簡単に組み付けることができるシャワーヘッド装置を提供することを目的とする。
【課題を解決するための手段】
【０００６】
上記目的を達成するため、本発明に係るシャワーヘッド装置は、散水部、及び前記散水部に接続された持手部を有する本体ケースと、流路を開閉する弁体を一体的に設け、前記流路を流通する流体を一次停止可能とした一次止水機構ユニットと、を備え、前記本体ケースの前記持手部は、前記一次止水機構ユニットが収容可能な収容部を有し、前記散水部とは反対側の端部に、前記一次止水機構ユニットが挿入可能な持手開口部が形成されていることを特徴としている。
【０００７】
本発明によれば、本体ケースの持手部の内部に持手開口部から一次止水機構ユニットを挿入し、本体ケース内で先に組み付けてある散水部内の流路と連通するように接続することができる。そのため、本発明では、一次止水機構ユニットを本体ケースの持手部内に挿入させる作業のみで簡単に組み付けることができ、組立性の向上を図ることができる。
しかも、本発明では、持手部として一次止水機構ユニットが収容可能な収容部を有する一体成型された筒状の部材を用いることができるため、例えば半割れに分割されたものを組み合わせて接合する場合のような手間のかかる組立が不要になる利点がある。
【０００８】
また、本発明に係るシャワーヘッド装置は、前記一次止水機構ユニットには、前記散水部に収容される散水板を有する散水板ユニットに係止可能なスナップフィット機構が設けられていることを特徴としてもよい。
【０００９】
この場合には、シャワーヘッド装置の組立時において、持手部内に挿入された一次止水機構ユニットのスナップフィット機構を本体ケースの散水部に収容される散水板ユニットに係止させることで、接続状態を目視しにくい本体ケース内で簡単に接続を行うことができる。
【００１０】
また、本発明に係るシャワーヘッド装置は、前記一次止水機構ユニットには、前記弁体を開閉移動させるための押しボタンが装着可能に設けられ、前記押しボタンは、前記持手部に形成されたボタン開口部の外側から装着可能に設けられていることを特徴としてもよい。
【００１１】
この場合には、押しボタンが一次止水機構ユニットに装着可能に設けられているので、予め持手部における押しボタンの一次止水機構ユニットに対する装着位置に開口部を設けておくことで、一次止水機構ユニットを持手部に収容した後に、持手部に形成されているボタン開口部から押しボタンのみを一次止水機構ユニットに対して取り付けることができる。そのため、持手部を分割する必要がなく、組み立てを簡単に行うことができる。
【発明の効果】
【００１２】
本発明のシャワーヘッド装置によれば、本体ケースに対して一次止水機構を簡単に組み付けることができる。
【図面の簡単な説明】
【００１３】
【図１】本発明の実施形態によるシャワーヘッド装置の全体構成を斜め表面側からみた斜視図である。
【図２】図１に示すシャワーヘッド装置の分解斜視図である。
【図３】散水部材及び通水部材の散水軸を通る縦断面図である。
【図４】シャワーヘッド装置の縦断面図である。
【図５】一次止水機構ユニットに押しボタンを取り付けた状態の縦断面図であって、押しボタンを解除して弁を閉じた状態を示す図である。
【図６】一次止水機構ユニットに押しボタンを取り付けた状態の縦断面図であって、押しボタンを押して弁を開いた状態を示す図である。
【図７】図５に示す一次止水機構ユニットに押しボタンを取り付けた状態の部分斜視図であって、押しボタンを解除して弁を閉じた状態を示す図である。
【図８】図６に示す一次止水機構ユニットに押しボタンを取り付けた状態の部分斜視図であって、押しボタンを押して弁を開いた状態を示す図である。
【図９】図４に示すＡ−Ａ線断面図であって、押しボタンを押込み位置としたときの図である。
【図１０】図９に示すボタン保持片の要部拡大図であって、（ａ）は吐水時で押しボタンが押込み位置の状態を示す図、（ｂ）は止水時で押しボタンが押込み解除位置の状態を示す図である。
【図１１】シャワーヘッド装置の組み立て工程を示す図であって、本体ケースに散水板ユニットを取り付ける前の状態の図である。
【図１２】図１１に続くシャワーヘッド装置の組み立て工程を示す図であって、本体ケースに一次止水機構ユニットを取り付ける前の状態の図である。
【図１３】図１２に続くシャワーヘッド装置の組み立て工程を示す図であって、本体ケースに押しボタンを取り付ける前の状態の図である。
【発明を実施するための形態】
【００１４】
以下、本発明の一実施形態によるシャワーヘッド装置の一例について、図面に基づいて説明する。
【００１５】
図１及び図２に示す本実施形態のシャワーヘッド装置１は、給水源（図示省略）から延ばされた給水ホース６（図１）に接続されて、湯または水などの流体を表面側から散水するハンドシャワーである。
【００１６】
シャワーヘッド装置１は、図３に示すように、表面に散水孔２４ａを有して流体を散水する散水部材２と、内部に散水孔２４ａと連通した通水路（環状通水路３Ｃ）を有し、上流側からの流体を散水部材２に供給する通水部材３と、散水部材２及び通水部材３を収容する本体ケース４と、本体ケース４に収容される一次止水機構ユニット５（図２参照）と、を備えている。
シャワーヘッド装置１において、流体の散水部材２への給水を一次止水する際には、本体ケース４に設けられる後述する押しボタン５３を操作することによって給水から一次止水に切り替えることが可能な構成となっている。
【００１７】
散水部材２及び通水部材３は、金属やプラスチック等の部材により略円盤形状に形成されている。
散水部材２は、上散水板２Ａと、下散水板２Ｂと、を有している。通水部材３は、上通水部３Ａと、及び下通水部３Ｂと、を有している。そして、上通水部３Ａ、下通水部３Ｂ、上散水板２Ａ、下散水板２Ｂが上方（裏面）から下方（表面）に向けてその順で配置されている。
散水部材２は、裏面からみた平面視で中央部分にアクセントリング２１と化粧プレート２２とを有している。上散水板２Ａと下散水板２Ｂは、アクセントリング２１と化粧プレート２２とを挟持した状態で溶着されている。
【００１８】
ここで、以降の説明において、上通水部３Ａ、下通水部３Ｂ、上散水板２Ａ、下散水板２Ｂ、アクセントリング２１、化粧プレート２２が共通の軸線上に配置され、この共通軸線を散水軸Ｏという。散水軸Ｏ方向に沿って、下散水板２Ｂの散水孔２４ａが開口する一方の面で、流体が吐水される面側を表面側、あるいは下側といい、他方の面側を裏面側、あるいは上側という。
また、散水軸Ｏ方向から見た平面視において、散水軸Ｏに直交する方向を径方向といい、散水軸Ｏ回りに周回する方向を周方向という。
【００１９】
下散水板２Ｂは、図３に示すように、平面視で円形形状に形成され、中央に第１開口部２３を有し、板厚方向に貫通する複数の散水孔２４ａが形成された散水面２４を備えている。複数の散水孔２４ａは、下散水板２Ｂの円周方向に沿って均等に配置されている。シャワーヘッド装置１は複数の散水孔２４ａから流体をシャワー状に吐水する。第１開口部２３は、角部が滑らかに湾曲した略矩形状に形成されている。散水面２４は、外周部から中央の第１開口部２３に向かって下方に凸となる凸曲面に形成されている。
【００２０】
散水面２４の裏面には、第１開口部２３の周囲から裏面側に向けて突出する筒状リブ２５が設けられている。  筒状リブ２５の内側には、裏面側からアクセントリング２１及び化粧プレート２２が挿入されて収容される。
アクセントリング２１は、化粧プレート２２を装着した状態で、上方（裏面側）から下散水板２Ｂの第１開口部２３及び筒状リブ２５の内側に収容される。
【００２１】
化粧プレート２２は、下面に平坦な化粧面２２１ａを有する化粧板２２１を有している。化粧板２２１は、アクセントリング２１の内周形状と同等に形成され、アクセントリング２１の内周面に嵌合可能に設けられている。
【００２２】
化粧プレート２２は、アクセントリング２１を介して下散水板２Ｂの第１開口部２３に装着された状態で、化粧面２２１ａが散水面２４の表面２４ｂよりも奥まった位置に配置される。
【００２３】
上散水板２Ａは、図３に示すように、中央に下散水板２Ｂの筒状リブ２５に外嵌する円形の第２開口部２６０を有し、下散水板２Ｂの外周縁部２ａ近傍の径方向の内側で上方に突出する外周壁２ｂに対して全周にわたって溶着により一体的に設けられている。
上散水板２Ａは、円板部２６１と、円板部２６１の中心に形成される第２開口部２６０の内側の中心部に連結片２６２を介して設けられたねじ係止筒２６３と、円板部２６１を板厚方向に貫通する複数（ここでは３つ）の第１流通孔２６４と、を備えている。
【００２４】
円板部２６１は、上面に下通水部３Ｂとの間に空気層２６Ａを形成し、通水部材３の外周縁との間に空気流入口２６Ｂが形成され、この空気流入口２６Ｂを介して空気層２６Ａと本体ケース４のヘッド本体部４１内の空間とが連通している。
【００２５】
また、上散水板２Ａと下散水板２Ｂとの間には散水室２４Ａが形成されている。複数の第１流通孔２６４は、円周方向に所定の間隔をあけて設けられ、後述する下通水部３Ｂの第２流通孔３４の直下に所定の離間をあけて配置され、かつ同軸となる位置に配置されている。
第１流通孔２６４は、流路断面積が下方に向かうに従い絞られた絞り形状をなしている。すなわち、第１流通孔２６４は、第２流通孔３４から送り出された水を空気取込面２６１ａの空気層２６Ａの空気と混合させて円板部２６１の表面側（下散水板２Ｂの散水面２４）に向けて通過させる。このように上散水板２Ａは、空気層２６Ａを経由して、第１流通孔２６４を介して流体に空気を混入して下散水板２Ｂの内部の散水室に供給するエゼクタ機能を有している。そして、散水室に供給された空気含有の流体（水）が多数の散水孔２４ａから散水される。
【００２６】
下通水部３Ｂは、上散水板２Ａの円板部２６１の裏面側に間隔をあけて配置され、上散水板２Ａの上側から固定ねじ５０によって固定されている。下通水部３Ｂは、リング形状の第１環状通水路３１と、第１環状通水路３１の中心に配置され固定ねじが挿通可能なねじ挿通筒３３と、板厚方向に貫通する複数（ここでは３つ）の第２流通孔３４と、を備えている。
【００２７】
上通水部３Ａは、上通水部３Ａの裏面側において外周縁同士を溶着して一体的に固定され、内側にドーナツ形状の環状通水路３Ｃを形成している。上通水部３Ａは、中心に第４開口部３６を形成したリング形状の第２環状通水路３７と、第２環状通水路３７に側方から連通する流体導入路３８と、を備えている。
【００２８】
本体ケース４は、図１及び図２に示すように、表面側に散水部材２及び通水部材３が収容可能な碗状部４１ａを形成させたヘッド本体部４１（散水部）と、ヘッド本体部４１を長手方向の一端に一体的に設けた持手部４２と、持手部４２の表面側に開口し後述する押しボタン５３が配置されるボタン開口部４３と、を備えている。このような本体ケース４は、プラスチックなどにより形成されている。
【００２９】
ヘッド本体部４１の内周縁部４１ｂには、散水部材２の下散水板２Ｂの外周部が嵌合される。これにより、散水部材２がヘッド本体部４１の内側に装着される。すなわち、散水部材２の裏面側、および外周面がヘッド本体部４１によって覆われた状態となる。
【００３０】
持手部４２は、上下方向が幅方向よりも短尺な扁平断面の筒状をなし、片手で掴んで支持しやすい形状となっている。持手部４２の内部には、持手部４２の長手方向に沿って流路が形成されている。持手部４２には、内部にヘッド本体部４１側とは反対の基端側の開口から挿入される一次止水機構ユニット５が収容可能に設けられている。なお、持手部４２内に収容される一次止水機構ユニット５の先端は、上通水部３Ａの環状通水路３Ｃに連通した状態で接続されている。
【００３１】
一次止水機構ユニット５は、図４に示すように、本体ケース４の持手部４２の内側に収容されている。一次止水機構ユニット５は、持手部４２の形状に沿った細長い筒状のグリップケース５１と、グリップケース５１内に収容され通水部材３の環状通水路３Ｃに連通可能な流路を開閉する弁体５２と、弁体５２を流路開閉可能に移動させる押しボタン５３と、を備えている。
【００３２】
グリップケース５１は、図４乃至図６に示すように、先端側ケース５１Ａと基端側ケース５１Ｂとに、長手方向に二分割されている。基端側ケース５１Ｂの基端部には、給水ホース６（図１参照）と連結するための雄ねじ５１ａが形成されている。
なお、図４に示すように、本体ケース４における基端部（散水部材２とは反対側の端部）には、一次止水機構ユニット５が挿入可能な持手開口部４ａが形成されている（図１、図２参照）。
【００３３】
図１及び図４に示すように、先端側ケース５１Ａにおける弁体５２を挟んだ両側には、給水ホース６を経由して供給される流体を本体ケース４に収容される通水部材３の環状通水路３Ｃに取り込むケース内流路５１１が形成されている。ケース内流路５１１は、先端側ケース５１Ａの長手方向に沿って延び、上流側が後述する弁支持筒５４に形成される流通開口５４１（後述）に接続されている。このケース内流路５１１は、弁体５２が収容される弁体収容部５１２側とは隔壁によって区画されている。
【００３４】
先端側ケース５１Ａには、図５及び図６に示すように、断面中心部分で弁体５２を弁移動方向Ｃ１に移動可能に支持する弁支持筒５４が組み込まれている。弁支持筒５４の基端側には、弁体５２の弁部５２ａが図６に示す開弁となる吐水位置Ｖ１から図５に示す閉弁となる止水位置Ｖ２に移動したときに着座する弁座５４ａが設けられている。
弁支持筒５４には、ケース内流路に接続する流通開口５４１が形成されている。つまり、弁部５２ａを通過した流体は流通開口５４１を通ってケース内流路５１１を流通し、通水部材３の環状通水路３Ｃに給水される。
【００３５】
弁体５２は、持手部４２の弁移動方向Ｃ１に移動可能に構成されている。弁体５２には、弁座５４ａが閉鎖される止水位置Ｖ２に向けて付勢するコイルバネ５５が設けられている。コイルバネ５５は、付勢方向の一端が弁体５２の基端部に係止され、他端がグリップケース５１（基端側ケース５１Ｂ）の内側に係止されて、弁部５２ａが弁座５４ａに着座する方向に付勢されている。
【００３６】
弁体５２は、弁移動方向Ｃ１の一端側（ここでは押しボタン５３側、図５及び図６の紙面左側）に付勢され、一端には弁移動方向Ｃ１に対して傾斜する第１傾斜面５６ａが形成された弁先端押圧部５６が設けられている。
【００３７】
先端側ケース５１Ａには、図５乃至図８に示すように、押しボタン５３のボタン移動方向Ｃ２に移動可能なボタン保持片５７が設けられている。ボタン保持片５７には、弁先端押圧部５６の第１傾斜面５６ａに当接する第２傾斜面５７ａが形成された保持本体部５７０が設けられている。ボタン保持片５７は、弁体５２が付勢された状態で、第１傾斜面５６ａで第２傾斜面５７ａを弁移動方向Ｃ１の一端側（押しボタン５３側）に押圧することで、第２傾斜面５７ａが第１傾斜面５６ａに沿ってボタン移動方向Ｃ２の押し込み方向に移動する。
【００３８】
ボタン保持片５７には、押しボタン５３に設けられるスナップフィット機構の第１係止爪５３１に係止される第２係止爪５７１が設けられている。
【００３９】
また、先端側ケース５１Ａには、図９に示すように、弁体５２（図６参照）の先端側において、ボタン保持片５７を収容する一対の支持壁５１３、５１３が設けられている。一対の支持壁５１３は、ボタン保持片５７を挟んだ左右両側において、壁面方向を押しボタン５３のボタン移動方向Ｃ２に向けた状態で互いに対向させて配置されている。
各支持壁５１３は、上壁５１３Ａと下壁５１３Ｂとを有し、上壁５１３Ａと下壁５１３Ｂとの間にボタン保持段部５１３ａ（被係止部）が形成されている。支持壁５１３は、下壁５１３Ｂの下内面５１３ｃが上壁５１３Ａの上内面５１３ｂよりも内側（ボタン保持片５７側）に張り出すように段状に形成されている。ボタン保持段部５１３ａには、後述するボタン保持片５７の弾性片部５７２が係止可能となっている。
【００４０】
また、ボタン保持片５７には、両側部（グリップケース５１の長手方向から見て上下方向に直交するする左右両側）に、先端側ケース５１Ａの一対の支持壁５１３、５１３に形成されるボタン保持段部５１３ａの上面に係止する弾性片部５７２が設けられている。弾性片部５７２は、基端部５７２ｂが保持本体部５７０に連結され、下方に向けて延ばされている。弾性片部５７２の自由端には、支持壁５１３側に向けて突出する係止凸部５７２ａが形成されている。
【００４１】
弾性片部５７２は、基端部５７２ｂを基端にして弾性変形可能に設けられ、ボタン保持片５７のボタン移動方向Ｃ２への移動に伴って、係止凸部５７２ａが支持壁５１３のボタン保持段部５１３ａに係止する図１０（ａ）に示す係止位置Ｐ１と、弾性片部５７２が弾性変形し係止凸部５７２ａがボタン保持段部５１３ａから外れて下壁５１３Ｂの下内面５１３ｃに当接する係止解除位置Ｐ２と、の位置をとるように構成されている。
【００４２】
押しボタン５３は、図４に示すように、持手部４２に形成されるボタン開口部４３（図４参照）に外側から装着可能に設けられ、スナップフィット機構によりボタン保持片５７に係止されている。
【００４３】
押しボタン５３は、図７及び図８に示すように、ボタン部５３Ａと、押込み部材５３Ｂと、ボタン部５３Ａ及び押込み部材５３Ｂの周囲を覆うボタンカバー５３Ｃと、を有している。押込み部材５３Ｂは、ボタン開口部４３内をボタン移動方向Ｃ２に移動可能に設けられている。押込み部材５３Ｂは、ボタン移動方向Ｃ２に延びる複数の突起部５３０が設けられ、これら突起部５３０の突出先端に上述した第１係止爪５３１が形成されている。この第１係止爪５３１は、上述したようにボタン保持片５７の第２係止爪５７１に係止可能となっている。
押しボタン５３は、持手部４２に形成されるボタン開口部４３の外側から内側に向けて挿入して押込み部材５３Ｂの第１係止爪５３１をボタン保持片５７の第２係止爪５７１に係止するスナップフィット機構により係合させることで本体ケース４に組み付けられる。
【００４４】
押しボタン５３は、円柱形状をなし、持手部４２のヘッド本体部４１寄りの位置に配置され、弁移動方向Ｃ１に対して交差（ここでは直交）する方向（ボタン移動方向Ｃ２）に使用者が押圧操作可能に設けられている。押しボタン５３を押圧操作することにより、グリップケース５１に内蔵されている弁体５２が弁移動方向Ｃ１に移動して弁を開閉し、弁体５２の図６に示す吐水位置Ｖ１と図５に示す止水位置Ｖ２とを切り換える操作を行うことができる。
【００４５】
次に、シャワーヘッド装置１の組み立て手順について具体的に説明する。
先ず、図２、図４及び図１１に示すように、化粧プレート２２とアクセントリング２１とを組み込んだ状態で散水部材２と通水部材３とを固定ねじ５０を使用して一体化した散水板ユニット２０（図１１参照）を組み立てる。次に、一体化された散水板ユニット２０を本体ケース４のヘッド本体部４１の内側（碗状部４１ａ）に対して表面側から着脱可能に嵌合させる（図１２参照）。このとき、上散水板２Ａの外周部に設けられている弾性係止片２６５を弾性変形させて、ヘッド本体部４１の内周縁部４１ｂに形成される凹部４１ｃに係止させることで、散水板ユニット２０がヘッド本体部４１に嵌合されるようになっている。
【００４６】
次に、図５及び図６に示すように、弁体５２、弁支持筒５４、弁先端押圧部５６、ボタン保持片５７をグリップケース５１内に組み込んで一体化した一次止水機構ユニット５を組み立てる。その後、図２、図４及び図１２に示すように、本体ケース４の持手部４２の内部に持手開口部４ａから一次止水機構ユニット５を挿入し、本体ケース４内で先に組み付けてある図９に示す上通水部３Ａの流体導入路３８の被係止部３８１に連結する。具体的には、一次止水機構ユニット５における散水板ユニット２０側に突出するスナップフィット機構Ｓを、図３及び図４に示す上通水部３Ａの流体導入路３８の外周面に形成された被係止部３８１に係止させる。このように一次止水機構ユニット５は、本体ケース４の持手部４２に挿入させる作業のみで簡単に組み付けられる。
【００４７】
一次止水機構ユニット５の組み付けが完了した後、図１３に示すように、押しボタン５３のボタン部５３Ａ、押込み部材５３Ｂ、ボタンカバー５３Ｃを本体ケース４の外側から取り付ける。具体的には、ボタン部５３Ａ及びボタンカバー５３Ｃを組み込んだ押込み部材５３Ｂを持手部４２に形成されているボタン開口部４３の外側から内側に挿入し、図５乃至図８に示すように押込み部材５３Ｂの第１係止爪５３１をボタン保持片５７の第２係止爪５７１にスナップフィット機構により係止させる。これにより、押しボタン５３が一次止水機構ユニット５と本体ケース４に組み付けられ、図１に示すようなシャワーヘッド装置１の組み立てが完了となる。
【００４８】
このように構成されるシャワーヘッド装置１では、吐水する際に、図６に示すように押しボタン５３を押圧操作により押込み位置Ｆ１まで押圧すると、押しボタン５３に固定されているボタン保持片５７もボタン移動方向Ｃ２で押し込み側に移動する。これによりボタン保持片５７の弾性片部５７２が図１０（ｂ）に示す係止解除位置Ｐ２から図１０（ａ）に示す係止位置Ｐ１に移動する。すなわち、弾性片部５７２は、係止解除位置Ｐ２による弾性変形が復元し、係止位置Ｐ１において係止凸部５７２ａが支持壁５１３のボタン保持段部５１３ａに係止した状態となる。つまり、シャワーヘッド装置１の表面側（図４に示す散水面２４）を下側に向けた姿勢のときに、係止凸部５７２ａがボタン保持段部５１３ａに上方から載置された状態となるので、押しボタン５３の自重によってボタン保持片５７の弾性片部５７２がボタン保持段部５１３ａを乗り越えるように弾性変形することはない。そのため、ボタン保持片５７及び押しボタン５３が押込み位置Ｆ１で保持された状態で維持されるので、散水面２４を下向きとなる姿勢にした場合でも押しボタン５３が下方に飛び出したり、がたつきが生じたりすることを防止でき、押し込み操作が安定し、操作性の向上を図ることができる。
【００４９】
このように押しボタン５３を押込み位置Ｆ１に押圧することで、弁体５２をコイルバネ５５の付勢に抗して弁移動方向Ｃ１で押しボタン５３側から離れる方向に移動させて、弁体５２を図５に示す止水位置Ｖ２から図６に示す吐水位置Ｖ１に位置させることで、散水ユニット２０に給水されて散水孔２４ａから散水することができる。
【００５０】
また、シャワーヘッド装置１において止水する際には、コイルバネ５５の付勢力による弁体５２の押付力によってボタン保持片５７がボタン移動方向Ｃ２で戻し側に移動し、図１０（ｂ）に示すようにボタン保持片５７の弾性片部５７２が先端側ケース５１Ａの下壁５１３Ｂの下内面５１３ｃによって左右方向の内側に押し込まれて弾性変形する。これによりボタン保持片５７は、係止凸部５７２ａが支持壁５１３のボタン保持段部５１３ａを乗り越えて係止解除位置Ｐ２となり、押しボタン５３とともに図５に示す押込み解除位置Ｆ２に移動する。このように押しボタン５３が押込み解除位置Ｆ２のときには、弁体５２がコイルバネ５５の付勢によって弁移動方向Ｃ１で押しボタン５３側に移動して図５に示す止水位置Ｖ２で弁を閉じ、散水ユニット２０への給水が停止されて止水状態になる。
【００５１】
次に、本実施形態によるシャワーヘッド装置１の作用について説明する。
本実施形態では、図１１乃至図１３に示すように、本体ケース４の持手部４２の内部に持手開口部４ａから一次止水機構ユニット５を挿入し、本体ケース４内で先に組み付けてあるヘッド本体部４１内の散水板ユニット２０の流路（環状通水路３Ｃ）と連通するように接続することができる。そのため、本実施形態では、一次止水機構ユニット５を本体ケース４の持手部４２内に挿入させる作業のみで簡単に組み付けることができ、組立性の向上を図ることができる。
【００５２】
しかも、本実施形態では、持手部４２として一次止水機構ユニット５が収容可能な収容部を有する一体成型された筒状の部材を用いることができるため、例えば半割れに分割されたものを組み合わせて接合する場合のような手間のかかる組立が不要になる利点がある。
【００５３】
また、本実施形態では、シャワーヘッド装置１の組立時において、持手部４２内に挿入された一次止水機構ユニット５のスナップフィット機構Ｓを本体ケース４のヘッド本体部４１に収容される散水板ユニット２０における上通水部３Ａの流体導入路３８に係止させることで、接続状態を目視しにくい本体ケース４内で簡単に接続を行うことができる。
【００５４】
また、本実施形態では、押しボタン５３が一次止水機構ユニット５に装着可能に設けられているので、予め持手部４２における押しボタンの一次止水機構ユニット５に対する装着位置にボタン開口部４３を設けておくことで、一次止水機構ユニット５を持手部４２に収容した後に、持手部４２に形成されているボタン開口部４３から押しボタン５３のみを一次止水機構ユニット５に対して取り付けることができる。そのため、持手部４２を分割する必要がなく、組み立てを簡単に行うことができる。
【００５５】
このように本実施形態のシャワーヘッド装置１によれば、本体ケース４に対して一次止水機構ユニット５を簡単に組み付けることができる。
【００５６】
以上、本発明によるシャワーヘッド装置の実施形態について説明したが、本発明は上記の実施形態に限定されるものではなく、その趣旨を逸脱しない範囲で適宜変更可能である。
【００５７】
例えば、本実施形態では、押しボタン５３が持手部４２に形成されたボタン開口部４３の外側から装着可能に設けられているが、押しボタン５３の組み付け構造はこれに限定されることはない。要は、一次止水機構ユニット５に押しボタン５３が予め組み込まれた状態であっても、本体ケース４の持手開口部４ａから持手部４２内に挿入されて収容できる構成であればよい。
【００５８】
また、本実施形態では、押しボタン５３の操作とともにボタン移動方向Ｃ２に移動し、弁体５２を弁移動方向Ｃ１に移動させるボタン保持片５７を設けた構成としているが、このようなボタン保持片５７を設ける構成に限定されることはなく、他の機構を採用することも可能である。要は、押しボタン５３が本体ケース４のボタン開口部４３の外側から内側に挿入可能で、かつ挿入されたときに本体ケース４（一次止水機構ユニット５）に対してボタン操作可能に固定される構成であればよいのである。
【００５９】
また、本実施形態では、一次止水機構ユニット５と通水部材３とがスナップフィット機構により接続される構成としているが、スナップフィット機構でない固定手段を採用することも可能である。要は、一次止水機構ユニット５が本体ケース４の持手部４２内に挿通されて所定位置に収容されたときに通水部材３に対して互いの流路同士が連通した状態で接続できる接続構造であればよい。
【００６０】
また、散水板ユニット２０の各構成は、本実施形態に限定されることはなく、適宜変更可能である。例えば本実施形態では、通水路がドーナツ形状で、中央部に固定ねじ５０で通水部材３と散水部材２とを固定した構成としているが、これに限定されることはない。また、アクセントリング２１や化粧プレート２２を省略することも可能である。
【００６１】
その他、本発明の趣旨を逸脱しない範囲で、上記した実施形態における構成要素を周知の構成要素に置き換えることは適宜可能である。
【符号の説明】
【００６２】
１  シャワーヘッド装置
２  散水部材
２Ａ  上散水板
２Ｂ  下散水板
３  通水部材
３Ａ  上通水部
３Ｂ  下通水部
３Ｃ  環状通水路
４  本体ケース
４ａ  持手開口部
５  一次止水機構ユニット
２０  散水板ユニット
４１  ヘッド本体部（散水部）
４２  持手部
４３  ボタン開口部
５０  固定ねじ
５１  グリップケース
５２  弁体
５３  押しボタン
５４  弁支持筒
５６  弁先端押圧部
５６ａ  第１傾斜面
５７  ボタン保持片
５７ａ  第２傾斜面
５３１  第１係止爪
５７１  第２係止爪
Ｃ１  弁移動方向
Ｃ２  ボタン移動方向
【図１】
2020025707.tif 000003
【図２】
2020025707.tif 000004
【図３】
2020025707.tif 000005
【図４】
2020025707.tif 000006
【図５】
2020025707.tif 000007
【図６】
2020025707.tif 000008
【図７】
2020025707.tif 000009
【図８】
2020025707.tif 000010
【図９】
2020025707.tif 000011
【図１０】
2020025707.tif 000012
【図１１】
2020025707.tif 000013
【図１２】
2020025707.tif 000014
【図１３】
2020025707.tif 000015